(57)【特許請求の範囲】
【請求項１】
後部に給電部を設けたアイロン本体と、前記アイロン本体を載置して、前記給電部と電気的に接続する電極を設けた載置台と、前記載置台に載置したアイロン本体を覆うアイロンケースと、前記アイロンケースと載置台を着脱自在に結合するロック装置とを具備し、前記アイロンケースは、前後方向の側面の大部分に亘って設けられた前記載置台に嵌合する嵌合部を有し、前記ロック装置は、前記アイロンケースの側面の下端に形成した操作部を有し、前記操作部は、前記アイロンケースの前後方向の側面の大部分に亘って前記嵌合部の外方に略円弧状に突出するように設けるとともに、操作部の下端と載置台の設置部との間にロック装置操作用の空間を設け、前記操作部のロック解除方向を、前記載置台から外方へ離れる方向に設定したコードレスアイロン。
【請求項２】
載置台に電極と電気的に接続したコードを収納するコードリールと、アイロン本体を載置する上部材と、前記上部材の下方に設けた下部材を有し、前記下部材に開口部を設けるとともに、前記開口部にコードリールの下面を露出するように臨ませて下部材の下面との間に空間部を形成した請求項１記載のコードレスアイロン。
【請求項３】
載置台にコードの引き出し部を設け、コードリールとコードの引き出し部を載置台の下部材に設けた請求項２記載のコードレスアイロン。
【請求項４】
下部材を金属製の薄板で形成した請求項２または３記載のコードレスアイロン。
【発明の詳細な説明】
【０００１】
【発明の属する技術分野】
本発明は、衣類等のしわ伸ばしを行なうために使用されるコードレスアイロンに関するものである。
【０００２】
【従来の技術】
従来、この種のコードレスアイロンは、例えば特公平７−９０１１４号公報に示すように構成されていた。以下、その構成について説明する。
【０００３】
図５において、アイロン本体１を載置する載置台２と、底部に開口部を有するとともに、前記載置台２の上方を覆い、かつ、ロック装置３を介して前記載置台２に対して着脱自在に結合されるアイロンケース４とを備え、前記ロック装置３は、前記アイロンケース４の両側側面に設けられ、かつ、同ロック装置３の上方に上下動自在に設けられたロック釦５と、同ロック装置３の下方に設けた指かけ部６と、前記ロック釦５に一端を当接して前記アイロンケース４の内面に回動自在に軸支したロック板７により構成していた。
【０００４】
【発明が解決しようとする課題】
しかしながら、このような従来の構成では、利用者がアイロンケース４を開けようとした際、ロック装置３を解除するために、指かけ部６の位置がアイロンケース４の側面略中央部に位置しているため、その位置に指を持っていかなければならず、指を持っていく位置がアイロンケース４側面の略中央部からずれてしまうとロック装置３を解除できず、常に指を持っていく位置が限定されるため、操作が行いにくいという問題があった。
【０００５】
また、ロック装置３を構成する部品点数が多くコスト高であるとともに、組立時の作業性が悪いという問題があった。このような問題を解決する方法として、アイロンケース４が樹脂製で弾性を有している点に着目し、操作部３をアイロンケース４と一体に成型して構成を簡略化することが考えられる。
【０００６】
しかしながら、このような構成の場合、アイロンケース４を取り外すときは、アイロンケース４の弾性に抗して操作部３を載置台２から離れる方向へ変位させるために、指先でアイロンケース４の操作部３を強く掴む必要があるが、操作部３の下方に指先が入るだけではロックを解除するために必要な充分な力を加えることはできず、ロック解除操作が行いにくいという問題があった。
【０００７】
本発明は上記課題を解決するもので、簡略な構成でロック解除時の操作を容易にすることを目的としている。
【０００８】
【課題を解決するための手段】
本発明は上記目的を達成するために、載置台に載置したアイロン本体を覆うアイロンケースと、前記アイロンケースと載置台を着脱自在に結合するロック装置とを具備し、前記アイロンケースは、前後方向の側面の大部分に亘って設けられた前記載置台に嵌合する嵌合部を有し、前記ロック装置は、前記アイロンケースの側面の下端に形成した操作部を有し、前記操作部は、前記アイロンケースの前後方向の側面の大部分に亘って前記嵌合部の外方に略円弧状に突出するように設けるとともに、操作部の下端と載置台の設置部との間にロック装置操作用の空間を設け、前記操作部のロック解除方向を、前記載置台から外方へ離れる方向に設定したものである。
【０００９】
これにより、ロックを解除するときに操作部を操作する位置の制約が緩和できるようになり、ロックを解除するために必要な充分な力を加えることができ、簡単な構成でロック解除時の操作性を向上することができる。
【００１０】
【発明の実施の形態】
本発明の請求項１に記載の発明は、後部に給電部を設けたアイロン本体と、前記アイロン本体を載置して、前記給電部と電気的に接続する電極を設けた載置台と、前記載置台に載置したアイロン本体を覆うアイロンケースと、前記アイロンケースと載置台を着脱自在に結合するロック装置とを具備し、前記アイロンケースは、前後方向の側面の大部分に亘って設けられた前記載置台に嵌合する嵌合部を有し、前記ロック装置は、前記アイロンケースの側面の下端に形成した操作部を有し、前記操作部は、前記アイロンケースの前後方向の側面の大部分に亘って前記嵌合部の外方に略円弧状に突出するように設けるとともに、操作部の下端と載置台の設置部との間にロック装置操作用の空間を設け、前記操作部のロック解除方向を、前記載置台から外方へ離れる方向に設定したものであり、アイロンケース側面略中央部から操作する指の位置がずれても、ロックを解除するために必要な充分な力を加えることができ、ロック装置を容易に解除することができる。
【００１１】
請求項２に記載の発明は、上記請求項１に記載の発明において、載置台に電極と電気的に接続したコードを収納するコードリールと、アイロン本体を載置する上部材と、前記上部材の下方に設けた下部材を有し、前記下部材に開口部を設けるとともに、前記開口部にコードリールの下面を露出するように臨ませて下部材の下面との間に空間部を形成したものであり、コードリールの熱を下面から空間に向けて放熱することができ、コードリール内部の温度を低く維持することができる。
【００１２】
請求項３に記載の発明は、上記請求項２に記載の発明において、載置台にコードの引き出し部を設け、コードリールとコードの引き出し部を載置台の下部材に設けたものであり、コードリールとコード引き出し部が載置台の同じ下部材にあるので、コードリールからコードを引き出す方向と、コード引き出し部の高低差の位置ずれが少なくなり、コードの出し入れを容易に行うことができるとともに、コードリールの上面とアイロン本体の載置部間に空間が形成されるので、アイロンからの熱的悪影響を少なくすることができる。
【００１３】
請求項４に記載の発明は、上記請求項２または３に記載の発明において、下部材を金属製の薄板で形成したものであり、載置台の質量を軽減することができる。
【００１４】
【実施例】
以下、本発明の実施例について、図面を参照しながら説明する。
【００１５】
（実施例１）
図１〜図３に示すように、後部に給電部８を設けたアイロン本体９と、アイロン本体９を載置して給電部８と電気的に接続する電極１０を設けた載置台１１と、載置台１１に載置したアイロン本体９を覆うアイロンケース１２と、アイロンケース１２と載置台１１を着脱自在に結合するロック装置１３を有している。
【００１６】
ロック装置１３は、アイロンケース１２の対向する両側の側面の下端に形成した操作部１４を有し、操作部１４は、アイロンケース１２の側面の前後方向の大部分に亘って載置台１１との嵌合部１２ａより外方へ略円弧状に突出するように設けてあり、載置台１１の側面より外方へ突出し下端をアイロンケース１２の開口縁部１２ｂと面一となるように水平に設けている。
【００１７】
操作部１４の下端と載置台１１の設置部１５との間には、ロック装置１３操作用の空間１６を構成し、載置台１１の設置部１５から操作部１４の下端迄の間に、操作部１４に対してロックを解除するために必要かつ充分な力が容易に加えることができる距離イを有している。上記空間１６は、指先だけでなく、複数の指を含む手先が収容されることが好ましい。
【００１８】
ロック装置１３は、載置台１１から外側方向に突出している凸部１７と、この凸部１７からロだけ下方に離れた位置に、アイロンケース１２の内側に設けられて内側方向に突出している係止部１８が設けてあり、操作部１４のロック解除方向を、載置台１１から外方へ離れる方向に設定している。
【００１９】
載置台１１には、電極１０と電気的に接続したコード１９を収納するコードリール２０を設け、アイロン本体９を載置する上部材２１と、この上部材２１の下方に設けた下部材２２を有している。下部材２２の底部には開口部２３を設け、前記開口部２３にコードリール２０の下面を露出するように臨ませて下部材２２との間に空間部２４が設けられている。
【００２０】
上記構成において動作を説明すると、アイロンケース１２を取り外す場合は、熱可塑性樹脂からなるアイロンケース１２の弾性に抗して操作部１４を矢印ハの方向へ変位させ、アイロンケース１２に形成した係止部１８を載置台１１の凸部１７から離脱させてロック装置１３を解除する。
【００２１】
このとき、操作部１３は、アイロンケース１２の下端で、かつ、側面の前後方向の大部分に亘って載置台１１の嵌合部１２ａより外方へ突出するように設けているため、アイロンケース１２の側面の略中央部から操作する指の位置がずれても、ロック装置１３を解除することができるとともに、操作部１４の下端と載置台１１の設置部１５との間にロック装置１３操作用の空間１６を設けているため、ロックを解除するために必要な充分な力を操作部１４に対して容易に加えることができる。
【００２２】
また、操作部１４のロック解除方向を、載置台１１から外方へ離れる方向に設定しているため、簡単な構成でロック解除時の操作性を向上することができるとともに、アイロンケース１２の弾性を利用して簡略なロック装置が得られる。なお、操作部１４は、アイロンケース１２の嵌合部１２ａと略平行に形成してもよい。
【００２３】
（実施例２）
図４に示すように、コードリール２０と、このコードリール２０に巻き取られたコード１９の引き出しと収納を行なうための引き出し部２５を、載置台１１の下部材２２に設けるとともに、下部材２２を鉄板等の金属製の薄板で形成したものである。他の構成は実施例１と同じである。
【００２４】
上記構成において動作を説明すると、アイロン本体９に通電すべく載置台１１に載置した時、アイロン本体９の給電部８が載置台１１の電極１０と接続されてアイロン本体９が加熱される。この時、コードリール２０はアイロン本体９への通電によるコード１９の自己発熱等で温度が上昇するが、下部材２２に設けられた空間部２４によって外気と接触し、放熱されて低温に維持することができる。
【００２５】
そして、コード１９の引き出し部２５は、コードリール２０とともに載置台１１の下部材２２に設けられているので、コードリール２０とコード１９の引出し部２５を略水平位置に配置することができ、コードリール２０に対してスムーズにコード１９の出し入れができる。また、コードリール２０を下部材２２に設けているので、コードリール２０の上面とアイロン本体９の載置部との間に空間が形成されるので、アイロン本体９からの熱の影響を低くすることができる。
【００２６】
また、下部材２２を鉄板等の薄板で構成しているため、載置台１１の質量を軽減することができ、収納する際の運搬が容易となる。
【００２７】
【発明の効果】
本発明の請求項１に記載の発明によれば、後部に給電部を設けたアイロン本体と、前記アイロン本体を載置して、前記給電部と電気的に接続する電極を設けた載置台と、前記載置台に載置したアイロン本体を覆うアイロンケースと、前記アイロンケースと載置台を着脱自在に結合するロック装置とを具備し、前記アイロンケースは、前後方向の側面の大部分に亘って設けられた前記載置台に嵌合する嵌合部を有し、前記ロック装置は、前記アイロンケースの側面の下端に形成した操作部を有し、前記操作部は、前記アイロンケースの前後方向の側面の大部分に亘って前記嵌合部の外方に略円弧状に突出するように設けるとともに、操作部の下端と載置台の設置部との間にロック装置操作用の空間を設け、前記操作部のロック解除方向を、前記載置台から外方へ離れる方向に設定したから、簡単な構成でロック解除時の操作性を向上することができる。
【００２８】
また、請求項２に記載の発明によれば、載置台に電極と電気的に接続したコードを収納するコードリールと、アイロン本体を載置する上部材と、前記上部材の下方に設けた下部材を有し、前記下部材に開口部を設けるとともに、前記開口部にコードリールの下面を露出するように臨ませて下部材の下面との間に空間部を形成したから、コードリールの熱を下面から空間に向けて放熱することができ、コードリール内部の温度を低く維持することができる。
【００２９】
また、請求項３に記載の発明によれば、載置台にコードの引き出し部を設け、コードリールとコードの引き出し部を載置台の下部材に設けたから、コードリールからコードを引き出す方向と、コード引き出し部の位置ずれを少なくして、コードの出し入れを容易に行うことができるとともに、アイロンからの熱的悪影響を少なくすることができる。
【００３０】
また、請求項４に記載の発明によれば、下部材を金属製の薄板で形成したから、載置台の質量を軽減することができ、アイロンの収納状態での運搬を容易にすることができる。
【図面の簡単な説明】
【図１】  本発明の実施例１のコードレスアイロンの一部切欠側面図
【図２】  同コードレスアイロンの要部断面図
【図３】  同コードレスアイロンのアイロンケースの下面図
【図４】  本発明の実施例２のコードレスアイロンの要部断面図
【図５】  従来のコードレスアイロンの側面図
【符号の説明】
９  アイロン本体
１１  載置台
１２  アイロンケース
１３  ロック装置
１４  操作部
【図１】
0003656593.tif 000002
【図２】
0003656593.tif 000003
【図３】
0003656593.tif 000004
【図４】
0003656593.tif 000005
【図５】
0003656593.tif 000006